(57)【要約】【課題】振動発生部からの振動を一層効果的に吸収することができ、特に、大荷重負荷時における動特性を改善することができる、緩衝体を有する防振装置の簡便な製造方法を提供する。【解決手段】振動受信部又は振動発生部の何れか一方に取り付けられる筒状金具１と、振動発生部又は振動受信部の他方に取り付けられる取付金具２と、筒状金具１と取付金具２との間に、空間部３を有するように配置された弾性体４と、空間部３の内部に設置された緩衝体６とからなる防振装置の製造方法であって、筒状金具１の中に、取付金具２に固定する弾性体４と、緩衝体６とを挿入し、その後、筒状金具１の端面１Ａを折り曲げて、弾性体４及び緩衝体６の抜けを防止する防振装置の製造方法。【選択図】  図１
2004183723.tif 000002
【特許請求の範囲】
【請求項１】
振動受信部又は振動発生部の何れか一方に取り付けられる筒状金具（１）と、振動発生部又は振動受信部の他方に取り付けられる取付金具（２）と、筒状金具（１）と取付金具（２）との間に、空間部（３）を有するように配置された弾性体（４）と、空間部（３）の内部に設置された緩衝体（６）とからなる防振装置の製造方法であって、筒状金具（１）の中に、取付金具（２）に固定する弾性体（４）と、緩衝体（６）とを挿入し、その後、筒状金具（１）の端面（１Ａ）を折り曲げて、弾性体（４）及び緩衝体（６）の抜けを防止することを特徴とする防振装置の製造方法。
【請求項２】
筒状金具（１）の中に、最初に緩衝体（６）を挿入し、その後、弾性体（４）を挿入することを特徴とする請求項１に記載の防振装置の製造方法。
【請求項３】
弾性体（４）がゴムであり、筒状金具（１）の中に挿入する前に、取付金具（２）と予め加硫接着することを特徴とする請求項１又は２に記載の防振装置の製造方法。
【請求項４】
緩衝体（６）がウレタンフォームであり、筒状金具（１）の中に圧縮して挿入することを特徴とする請求項１から３のいずれか１項に記載の防振装置の製造方法。
【請求項５】
緩衝体（６）を挿入する部位の筒状金具（１）に、弾性ストッパ（５）を固定することを特徴とする請求項１から４のいずれか１項に記載の防振装置の製造方法。
【請求項６】
弾性ストッパ（５）がゴムであり、緩衝体（６）を挿入する前に、筒状金具（１）と予め加硫接着することを特徴とする請求項５に記載の防振装置の製造方法。
【発明の詳細な説明】
【０００１】
【発明の属する技術分野】
本発明は、例えば自動車、一般産業用機械等に適用して振動発生部からの振動を吸収する防振装置の製造方法に関するものであり、特に、エンジンマウントやトルクロッドのブッシュに好適な防振装置の製造方法に関するものである。
【０００２】
【従来の技術】
従来から、車両の振動発生部となるエンジンと振動受信部となる車体との間には、エンジンマウントとしての防振装置が設置されており、エンジンで発生する振動をこの防振装置が吸収し、車体側に伝達されるのを阻止して乗り心地を向上させている。
【０００３】
そして特に、前部にエンジンを配置し、前輪を駆動するＦＦタイプの自動車等にあっては、発進時等の大きなトルク反力を吸収するため、防振装置として、ゴムブッシュをブラケットに固定し、シャフトで連結したトルクロッドが使用されている（例えば、特許文献１参照。）。
【０００４】
例えば、図３は、トルクロッドのゴムブッシュ等として使用されている従来の防振装置を示すものであり、筒状金具１１と取付金具１２とをゴム弾性体１４で連結してゴムブッシュとし、そのゴムブッシュをブラケット２１に圧入して固定した正面図を示すものである（例えば、特許文献２参照。）。
【０００５】
【特許文献１】
特開平１０−１１４２２６号公報  （第２頁、図１−７）
【特許文献２】
特開平６−７４２７５号公報  （第２−３頁、図１−３）
【０００６】
【発明が解決しようとする課題】
しかしながら、図３に示す従来の防振装置では、たわみが大きくなり、空間部１３におけるゴム弾性体１４が筒状金具１１と接触するストッパ当りが発生すると、たわみに対する荷重が急激に増加してしまう。
【０００７】
このストッパ当りに対し、更なる乗り心地の向上を図るためには、第１に、ストッパの初期当りを軟らかくすること、第２に、ストッパ当り後の静特性を確保しつつ、動特性を改善することが求められ、そのためには、弾性体に加えて、緩衝体を直列に配置することが有効となる。
【０００８】
そこで本発明は、振動発生部からの振動を一層効果的に吸収することができ、特に、大荷重負荷時における動特性を改善することができる、緩衝体を有する防振装置の簡便な製造方法を提供することを目的とするものである。
【０００９】
【課題を解決するための手段】
本発明は、以上の課題を解決するためになされたものであって、その要旨は、振動受信部又は振動発生部の何れか一方に取り付けられる筒状金具と、振動発生部又は振動受信部の他方に取り付けられる取付金具と、筒状金具と取付金具との間に、空間部を有するように配置された弾性体と、空間部の内部に設置された緩衝体とからなる防振装置の製造方法であって、筒状金具の中に、取付金具に固定する弾性体と、緩衝体とを挿入し、その後、筒状金具の端面を折り曲げて、弾性体及び緩衝体の抜けを防止する防振装置の製造方法に係るものである。
【００１０】
そして好ましくは、筒状金具の中に、最初に緩衝体を挿入し、その後、弾性体を挿入する防振装置の製造方法に係るものである。また、弾性体をゴムとして、筒状金具の中に挿入する前に、取付金具と予め加硫接着することが好ましく、緩衝体をウレタンフォームとして、筒状金具の中に圧縮して挿入することが好ましい。更に、緩衝体を挿入する部位の筒状金具に、弾性ストッパを固定することが好ましく、この場合、弾性ストッパをゴムとして、緩衝体を挿入する前に、筒状金具と予め加硫接着することが好ましい。
【００１１】
【発明の実施の形態】
本発明の方法によって製造される防振装置は、振動受信部又は振動発生部の何れか一方に取り付けられる筒状金具と、振動発生部又は振動受信部の他方に取り付けられる取付金具と、筒状金具と取付金具との間に、空間部を有するように配置された弾性体とからなっている。
【００１２】
即ち、筒状金具と取付金具とを連結する弾性体の防振効果によって、振動の入力に対する減衰機能と絶縁機能を持ち、例えば、車両の振動発生部となるエンジンと振動受信部となる車体との間にあって、エンジンで発生する振動を吸収し、車体側に伝達されるのを阻止するものである。従って、本発明の方法によって製造される防振装置は、一般的な荷重負荷時の振動の入力に対し、従来のものと同等の性能を発揮する。
【００１３】
そして更に、弾性体のない空間部の内部に緩衝体が設置されている。即ち、弾性体に加えて、緩衝体が直列に配置されることにより、ストッパの初期当りが軟らかくなると共に、ストッパ当り後の静特性を確保しつつ、動特性が改善されている。
【００１４】
この点について更に詳述すると、例えば、ＦＦタイプの自動車は発進時に大きなトルク反力が発生し、エンジンの回転移動に伴う大荷重負荷時に弾性体のたわみが急激に進行し、筒状金具と接触するストッパ当りに至る。
【００１５】
この際、従来の防振装置のように緩衝体がなければ、弾性体が突然に筒状金具と接触することになるが、本発明の方法によって製造される防振装置では弾性体と共に緩衝体がたわみ、ストッパ当り時に弾性体と筒状金具との間に緩衝体が介在する分だけ初期当りが軟らかくなるのである。
【００１６】
しかも、ストッパ当り後において、緩衝体がたわみ切った状態では緩衝体の存在を無視できることから、弾性体のみによる従来と同様の静特性が確保される。一方、動特性は、緩衝体のたわみ変化を伴うことになるから、弾性体と緩衝体とが共に作用し、緩衝体が介在する分だけ特性が改善されるのである。
【００１７】
このような緩衝体の作用効果は防振対象等によって求められるものが異なるので、弾性体等との関係は必要に応じて適宜設定すればよいが、エンジンマウントやトルクロッドのブッシュに適用する場合には、特に、弾性ストッパとの関係が重要となる。
【００１８】
即ち、ストッパ当り後のたわみ−荷重曲線を所望のものとするには、弾性体とは別に弾性ストッパを設け、弾性体と筒状金具とが直接当らないようにすることが効果的である。
【００１９】
そして、特にエンジンマウントやトルクロッドのブッシュに適用するに際しては、弾性ストッパよりも緩衝体の静的バネ定数ｋｓを小さく設定することによって、たわみ−荷重曲線の曲率の増加を滑らかにすることが可能となり、ストッパの初期当りが軟らかくなる結果、乗り心地が向上するのである。
【００２０】
また、弾性ストッパよりも緩衝体の動的バネ定数ｋｄを小さく設定することによって、ストッパ当り後のたわみの増加を抑制しつつ、ストッパ当り後の防振装置全体の動的バネ定数を小さくすることが可能となる。
【００２１】
即ち、たわみが抑制される結果、エンジンの移動量が増加せず、エンジンルーム内のスペースを悪化させることがないのである。しかも、動的バネ定数が大きくなると騒音の伝達も増えてしまうが、動的バネ定数を小さくできる結果、静かな室内を実現できるのである。
【００２２】
このような防振装置の製造に際しては、緩衝体の設置が問題となる。即ち、空間部の内部に、簡便かつ確実に緩衝体を設置する必要があるのである。そこで、本発明の製造方法は、筒状金具の中に、取付金具に固定する弾性体と、緩衝体とを挿入し、その後、筒状金具の端面を折り曲げて、弾性体及び緩衝体の抜けを防止している。従って、挿入及び加締めだけで、上記の防振装置を製造することができるのである。
【００２３】
ところで、弾性体や弾性ストッパには、ゴム（特に、ＮＲやＳＢＲ系ゴム）が好適に使用されるが、緩衝体の静的バネ定数ｋｓや動的バネ定数ｋｄを弾性ストッパよりも小さくするには、緩衝体を合成樹脂発泡体（特に、ウレタンフォーム）で形成することが効果的である。
【００２４】
この場合、緩衝体となるウレタンフォームの挿入性を考慮すると、筒状金具の中に、最初に緩衝体（ウレタンフォーム）を挿入し、その後、弾性体（ゴム）を挿入することが簡便である。また、ゴムからなる弾性体は、筒状金具の中に挿入する前に、取付金具と予め加硫接着しておけば、一層簡便に製造できる。更に、緩衝体がウレタンフォームの場合、筒状金具の中に圧縮して挿入すればウレタンフォームが動かず、その後の加締めが簡単になる。
【００２５】
なお、弾性ストッパを設ける場合には、緩衝体を挿入する部位の筒状金具に固定すればよく、この際、弾性ストッパがゴムならば、緩衝体を挿入する前に、筒状金具と予め加硫接着しておくことで、簡便に製造できる。
【００２６】
【実施例】
以下、本発明の好ましい実施の形態の具体例を図面に基づいて説明する。図１は、本発明の防振装置の製造方法の一例を示す概念図である。図１に示す実施例の製造方法は、弾性体４がＮＲ系ゴムなので、取付金具２と予め加硫接着されている。また、ＮＲ系ゴムの弾性ストッパ５も、緩衝体６を挿入する部位の筒状金具１に予め加硫接着されている。
【００２７】
そして、筒状金具１の中に、最初にウレタンフォームの緩衝体６を挿入し、その後、弾性体４を挿入する。なお、ウレタンフォームの緩衝体６は、筒状金具１の中に圧縮して挿入し、抜け落ちないようにしておく。
【００２８】
次に、筒状金具１の端面１Ａを折り曲げて、弾性体４及び緩衝体６の抜けを防止する。なお、図１に示す実施例によって製造される防振装置は、自動車のエンジンと車体との間に設置される、一対のブラケットがシャフトで連結されたトルクロッドであるが、筒状金具１がそのままブラケットになっているので、トルクロッドを製造する際の部品点数が削減される。
【００２９】
図２は、本発明の防振装置の製造方法によって製造された防振装置（トルクロッド）の一例を示す正面図である。図２に示す防振装置において、緩衝体６の静的バネ定数ｋｓ及び動的バネ定数ｋｄは、弾性体４及び弾性ストッパ５よりも小さく、ブッシュ部分（シャフト２２を除いた部分）と、更に緩衝体６を取り除いた比較例のたわみ−荷重曲線をグラフ化したところ、実施例は比較例に対してたわみ−荷重曲線の曲率の増加が滑らかになっていた。
【００３０】
また、荷重８ｋＮにおいて、動変位±０．０５ｍｍ、１００Ｈｚ及び４００Ｈｚで動特性を測定したところ、静的バネ定数ｋｓ（荷重８ｋＮ）は、比較例よりも実施例（ブッシュ部分）の方が、緩衝体６の存在によって１０％程度上がっていたが、動的バネ定数ｋｄは、約２０％（１００Ｈｚ）〜約２５％（４００Ｈｚ）下がっていた。
【００３１】
従って、本発明の方法によって製造された防振装置は、たわみの増加が抑制され、かつ、動的バネ定数が顕著に小さくなっており、動倍率（ｋｄ／ｋｓ）が低いことが確認された。
【００３２】
【発明の効果】
本発明の防振装置の製造方法は、振動受信部又は振動発生部の何れか一方に取り付けられる筒状金具と、振動発生部又は振動受信部の他方に取り付けられる取付金具と、筒状金具と取付金具との間に、空間部を有するように配置された弾性体と、空間部の内部に設置された緩衝体とからなる防振装置の製造に際し、筒状金具の中に、取付金具に固定する弾性体と、緩衝体とを挿入し、その後、筒状金具の端面を折り曲げて、弾性体及び緩衝体の抜けを防止しているので、たわみの増加が抑制され、動的バネ定数が小さい防振装置を、簡便かつ確実に製造することができる。特に、筒状金具をそのままトルクロッドのブラケットにすれば、部品点数の削減が図れる。
【図面の簡単な説明】
【図１】図１は、本発明における防振装置の製造方法の実施例を示す概念図である。
【図２】図２は、本発明の防振装置の製造方法によって製造された防振装置の一例を示す正面図である。
【図３】図３は、従来の防振装置を示す正面図である。
【符号の説明】
１‥筒状金具
１Ａ‥端面
２‥取付金具
３‥空間部
４‥弾性体
５‥弾性ストッパ
６‥緩衝体
１１‥筒状金具
１２‥取付金具
１３‥空間部
１４‥弾性体
２２‥シャフト
【図１】
2004183723.tif 000003
【図２】
2004183723.tif 000004
【図３】
2004183723.tif 000005